(57)【要約】【課題】  ユーザによる表示用情報の入力作業を低減することができる電話機システムを提供すること。【解決手段】  制御部２は着信番号もしくは発信番号に対応する番号情報を記憶部６から検索することによって、番号情報が記憶部６に有るか否かを判定する（ステップＳ１〜ステップＳ２）。制御部２は該当する番号情報が記憶部６に無い場合は、着信番号もしくは発信番号のみを表示部５に表示して通話処理を行なう（ステップＳ６〜ステップＳ８）。通話が終了すると、制御部２は着信番号もしくは発信番号に対応する番号情報を外部局１０から取得するために、通信部３を介して着信番号もしくは発信番号を外部局１０へ送信する（ステップＳ９〜ステップＳ１０）。そして、制御部２は、外部局１０から返信情報を受信して、その返信情報に番号情報が有る場合は番号情報を電話番号と対応付けて記憶部６へ記憶する（ステップＳ１１〜ステップＳ１３）。【選択図】        図３
2005322992.tif 000002
【特許請求の範囲】
【請求項１】
通話が可能な通話手段と、
前記通話手段にて通話する際の電話番号が入力される入力手段と、
第三者により予め電話番号と該電話番号に関する情報が整備され、登録してあるデータベースと、
前記入力手段によって入力された電話番号に基づき、前記データベースから該入力された電話番号に関する情報を取得する取得手段と、
前記取得手段により取得した前記入力された電話番号に関する情報を報知する報知手段と、
を備えることを特徴とする通信端末装置。
【請求項２】
通話が可能な通話手段と、
前記通話手段にて通話する際の電話番号が入力される入力手段と、
外部と通信を行なう通信手段と、
前記入力手段により入力された電話番号を前記通信手段により外部へ送信し、該送信した電話番号に関する情報を前記通信手段により受信する制御手段と、
前記通信手段により該受信した電話番号に関する情報を報知する報知手段と、
を備えることを特徴とする通信端末装置。
【請求項３】
外部との通信を行なう通信手段を備え、前記取得手段は、前記データベースに前記入力手段にて入力された電話番号に関する情報がなかった場合は、当該通信手段にて該入力された電話番号を外部に送信し、当該外部から該入力された電話番号に関する情報を取得することを特徴とする請求項１に記載の通信端末装置。
【請求項４】
前記通信手段と通信を行なう外部は、他の通信端末装置、情報センター、電話機の少なくとも１つからなることを特徴とする請求項２又は請求項３に記載の通信端末装置。
【請求項５】
道路地図に関する地図データを記憶する地図データ記憶手段を備え、前記電話番号に関する情報には位置情報を含む施設情報が含まれており、前記入力された電話番号に関する情報に位置情報が含まれている場合は、該当位置の地図データを含む施設情報を前記報知手段にて報知することを特徴とする請求項１乃至請求項４のいずれかに記載の通信端末装置。
【発明の詳細な説明】
【技術分野】
【０００１】
本発明は、通信端末装置に関するものである。
【背景技術】
【０００２】
従来、電話番号と名前、住所等とを関連付けた情報を記憶装置に記憶しておき、発着信時に相手側の電話番号を記憶装置から検索することによって名前や住所などを表示装置に表示する電話機が知られている。
【発明の開示】
【発明が解決しようとする課題】
【０００３】
しかしながら、上記従来技術に記載の電話機においては、記憶装置に記憶されていない電話番号に関連する情報は表示することが出来なかった。従って、このような電話番号に関連する情報を表示させるためにはユーザが自ら情報を入力する必要があった。
【０００４】
本発明は、上記問題点に鑑みなされたものであり、ユーザによる表示用情報の入力作業を低減することができる通信端末装置を提供することを目的とするものである。
【課題を解決するための手段】
【０００５】
上記目的を達成するために請求項１に記載の通信端末装置では、通話が可能な通話手段と、通話手段にて通話する際の電話番号が入力される入力手段と、第三者により予め電話番号と該電話番号に関する情報が整備され登録してあるデータベースと、入力手段によって入力された電話番号に基づき、データベースから入力された電話番号に関する情報を取得する取得手段と、取得手段により取得した入力された電話番号に関する情報を報知する報知手段とを備えることを特徴とするものである。
【０００６】
このように、第三者により予め電話番号と該電話番号に関する情報が整備され登録してあるデータベースを備え、入力手段によって電話番号が入力されると、その電話番号に関する情報をデータベースから取得して報知することによってユーザによる入力作業を低減することができる。
【０００７】
また、請求項２に記載の通信端末装置では、通話が可能な通話手段と、通話手段にて通話する際の電話番号が入力される入力手段と、外部と通信を行なう通信手段と、入力手段により入力された電話番号を通信手段により外部へ送信し、送信した電話番号に関する情報を通信手段により受信する制御手段と、通信手段により該受信した電話番号に関する情報を報知する報知手段とを備えることを特徴とするものである。
【０００８】
このように、入力手段により入力された電話番号を通信手段にて外部へ送信し、その送信した電話番号に関する情報を外部から取得して報知するころによってユーザによる入力作業を低減することができる。
【０００９】
また、請求項３に記載の通信端末装置では、外部との通信を行なう通信手段を備え、取得手段は、データベースに入力手段にて入力された電話番号に関する情報がなかった場合は、通信手段にて入力された電話番号を外部に送信し、外部から入力された電話番号に関する情報を取得することを特徴とするものである。
【００１０】
このように、データベースに入力手段にて入力された電話番号に関する情報がなかった場合は、外部から入力された電話番号に関する情報を取得することもできる。
【００１１】
また、請求項４に記載のように、通信手段と通信を行なう外部としては、他の通信端末装置、情報センター、電話機の少なくとも１つとすることができる。
【００１２】
また、請求項５に記載の通信端末装置では、道路地図に関する地図データを記憶する地図データ記憶手段を備え、電話番号に関する情報には位置情報を含む施設情報が含まれており、入力された電話番号に関する情報に位置情報が含まれている場合は、該当位置の地図データを含む施設情報を前記報知手段にて報知することを特徴とするものである。
【００１３】
このように、道路地図に関する地図データを記憶する地図データ記憶手段を備え、入力された電話番号に関する情報に位置情報が含まれている場合は、該当位置の地図データを含む施設情報を報知することによって施設の位置などを確認することができる。
【発明を実施するための最良の形態】
【００１４】
以下、本発明の実施の形態を図に基づいて説明する。図１は、本発明の実施の形態における携帯電話機１の概略構成を示すブロック図である。図２は、本発明の実施の形態における外部局１０の概略構成を示すブロック図である。なお、本実施の形態では、本発明の通信端末装置（携帯電話機１）と外部局１０とが通信接続された例を用いて説明する。
【００１５】
図１に示すように、携帯電話機１は、制御部２、通信部３、操作部４、表示部５、記憶部６、音声切替部７などを備える。制御部２は、ＣＰＵやメモリなどからなるマイクロコンピュータを主体としてなり、メモリに記憶されたプログラムに従って各構成部の制御を行う。通信部３は、符号部や複合部などを備え、外部へ送信する音声信号や電話番号などのデータの符号化、及び外部から受信する音声信号や番号情報などのデータの復号化などの処理を行なう。なお、番号情報に関しては後ほど説明する。
【００１６】
操作部４は、「通話開始」キー、「通話終了」キー、「０」〜「９」キー（「数字」キー）などの多数のキーを配列してなる。操作部４は、キーが押圧操作されるとキー毎に対応付けられた機能の実行を示す操作信号を発生し、その操作信号を制御部２に出力する。表示部５は、液晶ディスプレイなどによって構成され電話番号や番号情報などを表示する。
【００１７】
記憶部６は、ＥＥＰＲＯＭなどの書換え可能な記憶媒体からなり、電話番号と電話番号に関連する番号情報とを対応付けて記憶する。この番号情報とは、電話番号の登録者名や登録店舗名などの名前情報、登録者や登録店舗の所在地情報、登録者や登録店舗の写真などの付加情報を含むものである。
【００１８】
また、番号情報は、後ほど説明する外部局１０から受信したりする。なお、印刷物として配布される電話帳をディジタル化して記憶部６に記憶しておき、電話帳に掲載されている住所などを番号情報として用いてもよい。
【００１９】
音声切替部７は、変換部や増幅部などを備え、マイクロホン及びスピーカーが接続される。音声切替部７は、マイクロホンにて集音した音声にＡＤ変換などの処理を行ない、処理した音声信号を制御部２へ出力する。更に、音声切替部７は、制御部２から出力された音声信号にＤＡ変換などの処理を行ない、スピーカーから音声を出力する。
【００２０】
図２に示すように、外部局１０は通信事業者のサーバなどからなり、外部局制御部１１、データベース１２、外部局通信部１３などを備える。外部局制御部１１は、ＣＰＵやメモリなどからなるマイクロコンピュータを主体としてなり、メモリに記憶されたプログラムに従ってデータベース１２を用いて番号情報の検索などを行う。
【００２１】
データベース１２は、ハードディスクなどの書換え可能な記憶媒体からなり、電話番号と電話番号に関連する番号情報とを対応付けて記憶している。また、印刷物として配布される電話帳をディジタル化してデータベース１２に記憶しておき、電話帳に掲載されている住所などを番号情報として用いてもよい。
【００２２】
外部局通信部１３は、符号部や複合部などを備え、携帯電話機１へ送信するデータの符号化や携帯電話機１から受信するデータの復号化などの処理を行なう。
【００２３】
ここで、本発明の実施の形態における電話機システムの動作について説明する。図３は、本発明の実施の形態における携帯電話機１の動作を示すフロー図である。図４は、本発明の実施の形態における外部局１０の動作を示すフロー図である。
【００２４】
なお、図３に示すフローは音声信号の着信があるか、もしくは操作部４が電話番号を示す操作信号を発生するとスタートする。図４に示すフローは外部局制御部１１が携帯電話機１から電話番号を受信するとスタートする。
【００２５】
図３に示すステップＳ１では、制御部２は、音声信号の着信の際に受信した通話相手の電話番号（以下、着信番号とも称する）、もしくは操作部４が発生した操作信号が示す電話番号（以下、発信番号とも称する）に対応する番号情報を記憶部６から検索する。
【００２６】
ステップＳ２では、制御部２は、着信番号もしくは発信番号に対応する番号情報が記憶部６に有るか否かを判定する。以前外部局１０から受信したことなどがあり番号情報が記憶部６に有る場合はステップＳ３へ進み、着信番号もしくは発信番号が無い場合はステップＳ６へ進む。
【００２７】
ステップＳ３では、制御部２は、着信番号もしくは発信番号と、この着信番号もしくは発信番号に対応する番号情報とを表示部５に表示する。
【００２８】
ステップＳ４では、制御部２は通話処理を行なう。すなわち、制御部２は、音声切替部７にてＡＤ変換などの処理がなされた音声信号を通信部３を介して通信網に送信すると共に、通信部３を介して受信した音声信号を音声切替部７にてＤＡ変換などの処理を行ない、スピーカーから音声を出力する。
【００２９】
そして、ステップＳ５では、制御部２は、通話が終了したか否かを判定して、通話が終了した場合は処理を終了し、通話が終了していない場合はステップＳ５の判定を繰り返す。
【００３０】
一方、対応する番号情報が記憶部６に無い場合ステップＳ６では、制御部２は、着信番号もしくは発信番号のみを表示部５に表示する。そして、制御部２は、ステップＳ７で通話処理を行ない、ステップＳ８にて通話が終了したか否かを判定して、通話が終了した場合はステップＳ９へ進み、通話が終了してない場合はステップＳ８の判定を繰り返す。
【００３１】
ステップＳ９では、表示部７に表示するための着信番号もしくは発信番号に対応する番号情報を外部局１０から取得するために、制御部２は通信部３を介して外部局１０へ通信接続を行なう。そして、制御部２は、ステップＳ１０にて着信番号もしくは発信番号を通信部３を介して外部局１０へ送信する。
【００３２】
そして、図４に示すステップＳ２１では、外部局制御部１１は、携帯電話機１から受信した着信番号もしくは発信番号に対応する番号情報をデータベース１２から検索する。
【００３３】
ステップＳ２２では、外部局制御部１１は、携帯電話機１への返信情報を作成する。外部局制御部１１は、ステップＳ２１にて検索した結果を用いて、該当する番号情報があった場合は番号情報を含む返信情報を作成し、該当する番号情報がなかった場合は番号情報が無いことを示す返信情報を作成する。
【００３４】
ステップＳ２３では、外部局制御部１１は、ステップＳ２２にて作成した返信情報を外部局通信部１３を介して携帯電話機１へ送信する。
【００３５】
図３に示すステップＳ１１では、制御部２は外部局１０からの返信情報を受信する。そして、ステップＳ１２では、制御部２は受信した返信情報に番号情報が有るか否かを判定し、番号情報が有る場合はステップＳ１３へ進み、番号情報が無い場合は処理を終了する。
【００３６】
ステップＳ１３では、次回以降に番号情報を表示させるために、制御部２は、ステップＳ１１にて受信した番号情報を電話番号と対応付けて記憶部６へ記憶する。
【００３７】
なお、本発明の実施の形態においては、外部局１０として通信事業者のサーバを用いた例について説明したが、本発明はこれに限定されるものではない。例えば、携帯電話機１の使用者の自宅の電話機、携帯電話機１の使用者の自宅のＰＣ、あるいは友人の携帯電話機などであってもよい。
【００３８】
（変形例）
なお、変形例として、本発明の電話機システムを携帯電話機と車載のナビゲーション装置とを用いたハンズフリーシステムに適用してもよい。携帯電話機など、上述の実施形態との共通部分についての詳しい説明は省略する。
【００３９】
ナビゲーション装置は、制御回路、位置検出器、地図データ記憶装置、データベース、操作デバイス、通信インターフェース、表示装置、車載マイクロホン、車載スピーカーなどを備える。
【００４０】
ナビゲーション装置全体の制御を行う制御回路は、マイクロコンピュータを主体として構成されるもので、ＲＯＭやＲＡＭなどのメモリやインターフェース回路あるいはデータ転送用のバスラインを備えている。
【００４１】
位置検出器は、自車両の現在位置を検出するための装置として、例えばＧＰＳ（Global Positioning System）受信機、ジャイロスコープ、距離センサなどの各種センサを備える。地図データ記憶装置は、ハードディスクやＲＯＭなどの記憶媒体からなり、道路地図に関する地図データ、目印データ、背景データ等の各種データを記憶する。
【００４２】
データベースは、ハードディスクやＲＯＭなどの記憶媒体からなり、道路地図における各施設についての電話番号、施設データ（例えば、施設名、所在地、建物の特徴など）などを含む番号情報を記憶する。
【００４３】
操作デバイスは、データや設定事項などを制御回路に入力するためのものであり、表示装置と一体に構成され表示画面上に設定されるタッチスイッチ、もしくは表示装置の周囲に設けられたメカニカルなキースイッチ等を備える。操作デバイスは、タッチスイッチもしくはキースイッチが押圧操作されるとスイッチ毎に対応付けられた機能の実行を示す操作信号を発生し、その操作信号を制御回路に出力する。
【００４４】
通信インターフェースは、携帯電話機に設けられた通信インターフェースと接続することによってハンズフリー通話を行なうためのものである。表示装置は、液晶ディスプレイなどによって構成され、地図データ記憶装置に記憶されている地図データなどによって生成される車両周辺の道路地図、及び施設データ記憶装置に記憶されている施設データなどを表示する。
【００４５】
車載マイクロホンは、ハンズフリー通話時に用いるものであり、車両搭乗者の音声を集音して、制御回路へ出力する。車載スピーカーは、ナビゲーション装置による経路案内などの音声を出力したり、ハンズフリー通話時の音声を出力したりする。
【００４６】
ここで、ナビゲーション装置と携帯電話機とを用いたハンズフリーシステムにおける番号情報の表示に関して説明する。
【００４７】
まず、音声信号の着信がある場合、携帯電話機の制御部は着信番号を通信インターフェースを介してナビゲーション装置の制御回路へ出力する。着信番号を取得したナビゲーション装置の制御回路は、着信番号に対応する番号情報がデータベースに記憶されているか否かを判定するために、データベースを検索する。そして、着信番号に対応する番号情報がハードディスクに記憶されていた場合は、その番号情報を表示装置に表示する。
【００４８】
次に、音声信号を発信する場合、操作デバイスのタッチスイッチもしくはキースイッチから電話番号（発信番号）を示す操作信号が出力されると、ナビゲーション装置の制御回路は、発信番号に対応する番号情報がハードディスクに記憶されているか否かを判定するために、データベースを検索する。そして、発信番号に対応する番号情報がデータベースに記憶されていた場合は、その番号情報を表示装置に表示する。
【００４９】
このように、本発明の電話機システムを携帯電話機と車載のナビゲーション装置とを用いたハンズフリーシステムに適用することによって、着信番号もしくは発信番号に対応する番号情報を検索する際にナビゲーション装置に備えられる電話帳を用いることができる。従って、外部局との通信を行なうことなく着信番号もしくは発信番号に対応する番号情報を表示することがきる。
【００５０】
なお、データベースに電話番号、施設データ（例えば、施設名、所在地、建物の特徴など）などを含む番号情報が記憶されてない場合は、上述の実施の形態のように、通信事業者のサーバ、携帯電話機１の使用者の自宅の電話機、携帯電話機１の使用者の自宅のＰＣ、あるいは友人の携帯電話機などから取得するようにしてもよい。
【図面の簡単な説明】
【００５１】
【図１】本発明の実施の形態における携帯電話機１の概略構成を示すブロック図である。
【図２】本発明の実施の形態における外部局１０の概略構成を示すブロック図である。
【図３】本発明の実施の形態における携帯電話機１の動作を示すフロー図である。
【図４】本発明の実施の形態における外部局１０の動作を示すフロー図である。
【符号の説明】
【００５２】
１  携帯電話機、２  制御部、３  通信部、４  操作部、５  表示部、６  記憶部、７  音声切替部、１０  外部局、１１  外部局制御部、１２  データベース、１３  外部局通信部
【図１】
2005322992.tif 000003
【図２】
2005322992.tif 000004
【図３】
2005322992.tif 000005
【図４】
2005322992.tif 000006